【手続補正書】
【提出日】平成19年5月7日(2007.5.7)
【手続補正１】
【補正対象書類名】明細書
【補正対象項目名】特許請求の範囲
【補正方法】変更
【補正の内容】
【特許請求の範囲】
【請求項１】 第１および第２の走行路の間で可動コンベヤ構成要素を誘導する方法であって、
一次側固定子および二次側可動子を有するリニア誘導モータ内に電磁界を励起するステップと、
前記電磁界を、一次側固定子に沿って直線的に移動させ、前記二次側可動子内で誘導された電流と相互作用させるステップと、
前記コンベヤ構成要素を移動させるためにスイッチ部材から延びる駆動アームに物理的に連結された前記二次側可動子を延長位置と引込位置との間で前記一次側固定子に対して直線方向に移動させるステップと、
前記スイッチ部材に物理的に連結された前記リニア誘導モータを用いて前記スイッチ部材を第１および第２の位置の間で駆動させるステップと、
前記駆動アーム及び前記二次側可動子の間の接合は、前記二次側可動子の直線的な移動に対する枢軸点の周りにおける前記スイッチ部材の円弧状の動きが行われるように形成され、前記コンベヤ構成要素を、前記スイッチ部材によって第１および第２の走行路の間で切り換えさせるステップと、
前記モータの前記一次側固定子に隣接して取付けられた保持コイルを選択的に励磁すると共に、前記二次側可動子を延長位置または引込位置に保持するステップとを備える方法。
【請求項２】 前記スイッチ部材の円弧状運動に対して前記二次側可動子の直線運動を形成するために、前記リニア誘導モータを回動させるステップをさらに備える請求項１記載の方法。
【請求項３】 第１および第２のピボットピンを有するトラニオンに前記モータを連結することによってリニア誘導モータを回動させるステップをさらに備え、前記スイッチ部材の円弧状運動に対して前記二次側可動子の直線運動が形成される請求項１記載の方法。
【請求項４】 前記二次側可動子に配置されたカップリングを介して前記二次側可動子を前記駆動アームに対して回転させるステップをさらに備え、前記スイッチ部材の円弧状運動に対して前記二次側可動子の直線運動が形成される請求項１記載の方法。
【請求項５】 ガイドバーに沿って前記二次側可動子を直線的に移動させるステップと、前記二次側可動子を前記駆動アームに対して移動させ、それにより前記スイッチ部材の円弧状運動に対して前記二次側可動子の直線運動が形成されるステップとをさらに備える請求項１記載の方法。
【請求項６】 ２つの走行路の間で可動コンベヤ構成要素を誘導するコンベヤスイッチであって、
第１および第２の位置の間を軸点を中心に回動するように形成され、前記コンベヤ構成要素に係合するための係合部と、前記係合部から延びる駆動アームとを有するスイッチ部材と、
前記スイッチ部材を前記第１および第２の位置の間で駆動し、一次側固定子と、延長位置と引込位置との間で直線的に移動するように形成された二次側可動子と、前記延長位置又は引込位置において前記二次側可動子を保持するために選択的に励起されることが可能な少なくとも一つの保持コイルとを有するリニア誘導モータとを備え、
前記二次側可動子は前記駆動アームに連結され、前記連結は、それにより前記二次側可動子の前記直線運動に対して前記スイッチ部材の軸点を中心とする円弧状運動が形成されているコンベヤスイッチ。
【請求項７】  前記二次側可動子の前記直線運動に対して前記スイッチ部材の円弧状運動が形成されるように前記モータが回動可能に取付けられると共に、前記二次側可動子及び前記駆動アームの間の接続がされている請求項６記載のスイッチ。
【請求項８】  前記モータは、前記二次側可動子の中央を貫通して延びる垂直軸を有する回転ピンを備えたプレート上に回転可能に装着されている請求項７記載のコンベヤスイッチ。
【請求項９】 前記二次側可動子の前記直線運動に対して前記スイッチ部材の円弧状運動が形成されるように、前記モータが回転可能なトラニオン上に取付けられると共に前記二次側可動子及び前記駆動アームの間の接続がされている請求項６記載のコンベヤスイッチ。
【請求項１０】   前記モータに対して上方および下方へ延びる２個の回転ピンを有するトラニオン管に前記モータが取付けられ、前記回転ピンは前記二次側可動子の中心を通って延びる共通の垂直軸を有している請求項９記載のコンベヤスイッチ。
【請求項１１】  可動カップリングが、前記二次側可動子の前記直線運動に対して前記スイッチ部材の円弧状運動が形成されるように前記二次側可動子と前記駆動アームとの間の接続部材に配設されている請求項６記載のコンベヤスイッチ。
【請求項１２】   直線経路に沿って前記二次側可動子を案内するガイドバーが備えられ、前記二次側可動子と前記駆動アームとの間の前記接続により、前記二次側可動子は前記駆動アームに対して移動することができ、それにより前記二次側可動子の前記直線運動に対して前記スイッチ部材の円弧状運動が形成される請求項６記載のスイッチ。
【請求項１３】  ２つの走行路の間で可動コンベヤ構成要素を誘導するコンベヤスイッチであって、
第１および第２の位置の間で移動するように形成され、前記コンベヤ構成要素に係合するための係合部分と、そこから延びる駆動アームとを有する回転スイッチ部材と、
前記一次側固定子と、前記一次側固定子内で直線的に移動するように形成され、前記スイッチ部材を前記第１および第２の位置の間で駆動するリニア誘導モータであって、
前記二次側可動子は延長位置と引込位置との間で移動するように形成されると共に、前記スイッチ部材を前記第１および第２の位置の間で駆動するように前記駆動アームと動作可能に連結される一方、前記回転スイッチ部材の円弧状の動きに対する二次側可動子の直線的な動きを形成し、前記モータは、前記延長位置と引込位置との間で前記二次側可動子を保持しうるように選択的に励起させることが可能な少なくとも一つの保持コイルを有するリニア誘導モータとを備えたコンベヤスイッチ。
【請求項１４】  前記駆動アームは前記第１および第２の位置の間で円弧状経路に沿って移動し、前記モータは、前記二次側可動子の前記直線運動に対して前記駆動アームの円弧状運動を形成するために回動可能に取付けられた請求項１３記載のスイッチ。
【請求項１５】  前記駆動アームは前記第１および第２の位置の間で円弧状経路に沿って移動し、前記モータは、前記二次側可動子の前記直線運動に対して前記駆動アームの円弧状運動を形成するために、トラニオンに回動可能に取付けられる請求項１３記載のスイッチ。
【請求項１６】  前記駆動アームは前記第１および第２の位置の間で円弧状経路に沿って移動し、前記二次側可動子の前記直線運動に対して前記駆動アームの円弧状運動を形成するためにカップリングが前記二次側可動子及び駆動アームの間の接続部材に備えられる請求項１３記載のスイッチ。
【請求項１７】 前記駆動アームは前記第１および第２の位置の間で円弧状経路に沿って移動し、前記二次側可動子を前記直線方向に案内するためにガイドバーが備えられており、前記駆動アームと前記二次側可動子との間の前記接続は、前記二次側可動子の前記直線運動に対して前記駆動アームの円弧状運動を形成するために、前記二次側可動子を前記駆動アームに対して移動可能にする請求項１３記載のスイッチ。
【請求項１８】 第１および第２の走行路の間で可動コンベヤ構成要素を誘導する方法であって、
一次側固定子および二次側可動子を有するリニア誘導モータ内に電磁界を励起するステップと、
前記電磁界を、一次側固定子に沿って直線的に移動させ、前記二次側可動子内で誘導された電流と相互作用させるステップと、
前記コンベヤ構成要素を移動させるためにスイッチ部材から延びる駆動アームに連結された前記二次側可動子を延長位置と引込位置との間で前記一次側固定子に対して直線方向に移動させるステップと、
前記スイッチ部材に物理的に連結された前記リニア誘導モータを用いて前記スイッチ部材を第１および第２の位置の間で駆動させるステップと、
前記コンベヤ構成要素を、前記スイッチ部材によって第１および第２の走行路の間で
前記連結が前記コンベヤ構成要素に抵抗することなく切り換え、前記駆動アーム及び前記二次側可動子の間の接合は、前記二次側可動子の直線的な移動に対する回転点の周りにおける前記スイッチ部材の円弧状の動きが行われるように形成されるステップと、
前記スイッチ部材の円弧状の動きに対して前記二次側可動子が直線的な動きを形成するように、前記二次側可動子を前記ガイドバーに沿った直線的に移動させ、かつ、前記駆動アームに対するスロットに沿った二次側可動子の移動を許容するステップとを備えた方法。
【請求項１９】 ２つの走行路の間で可動コンベヤ構成要素を誘導するコンベヤスイッチであって、
第１および第２の位置の間を軸点を中心に回動するように形成され、前記コンベヤ構成要素に係合するための係合部と、前記係合部から延びる駆動アームとを有するスイッチ部材と、
前記スイッチ部材を前記第１および第２の位置の間で駆動し、一次側固定子と、延長位置と引込位置との間で直線的に移動するように形成された二次側可動子とを有するリニア誘導モータとを有し、
前記二次側可動子は前記駆動アームに動作可能に接続され、前記接続は、前記二次側可動子の前記直線運動に対して前記スイッチ部材の軸点を中心とする円弧状運動が形成されるように構成され、
直線路に沿った二次側可動子の移動をガイドするためにガイドバーが配設され、前期二次側可動子と駆前記コンベヤ構成要素を、前記スイッチ部材によって第１および第２の走行路の間で
前記連結が前記コンベヤ構成要素に抵抗することなく切り換え、前記駆動アーム及び前記二次側可動子の間の接合部材は、前記二次側可動子の直線的な動きに対してスイッチ部材が円弧状の動きを形成するように、前期駆動アームに対する二次側可動子の移動を可能とするスロットを有するスイッチ。
【請求項２０】  ２つの走行路の間で可動コンベヤ構成要素を誘導するコンベヤスイッチであって、
一次位置と二次位置との間を移動するように形成され、前記コンベヤ構成要素及び前記コンベヤ構成要素から延出する駆動アームとに係合する係合部を有する回転スイッチと、
前記スイッチ部材を前記第１および第２の位置の間で駆動し、一次側固定子と、前記一次側固定子内において直線的に動くように形成され、延長位置と引込位置との間で移動するように形成されると共に、前記スイッチ部材を第一位置及び第二位置の間で前記コンベア構成要素に抵抗することなく駆動する一方、前記スイッチ部材の円弧状の動きに対して直線的な移動を形成しうるように前記駆動アームに接合された二次側可動子とを備えたリニア誘導モータとを備え、
前記駆動アームは、前記第一位置と前記第二位置との間の円弧状路に沿って移動し、ガイドバーが前記直線方向において二次側可動子をガイドするために配設され、前記駆動アームと二次側可動子との間の接合部材には、二次側可動子が前記駆動アームに対して、前記二次側可動子の前記直線的な動きに対し前記駆動アームの円弧状の動きを形成するために穴部が開設されているコンベヤスイッチ。
【請求項２１】 ２つの走行路の間で可動コンベヤ構成要素を誘導するコンベヤスイッチであって、
一次位置と二次位置との間を移動するように形成され、前記コンベヤ構成要素及び前記コンベヤ構成要素から延出する駆動アームとに係合する係合部を有する回転スイッチと、
前記回転スイッチ部材を前記第１および第２の位置の間で駆動し、一次側固定子と、前記一次側固定子内において直線的に動くように形成され、延長位置と引込位置との間で移動するように形成されると共に、前記回転スイッチ部材を、前記スイッチ部材の円弧状の動きに対して二次可動子の直線的な移動を形成しうるように前記駆動アームに接合された二次側可動子とを備えたリニア誘導モータとを備え、
前記モータは、前期モータに対して上方及び下方に延びる２つの回転ピンを有する回転トラニオンチューブ上に配設され、前期回転ピンは前期二次側可動子の中央を貫通して延びる共通垂直軸を有すると共に前記チューブを回転可能とするための上方及び下方フレームに接合され、
前記駆動アームと二次側可動子との接続部材は、前記二次側可動子の直線的な動きに対して前記スイッチ部材の円弧状の動きを形成するために回転するように構成されたコンベヤスイッチ。